(57)【要約】      （修正有）【課題】積層されたコイル基板を磁性材コアにより囲繞して閉磁路を形成した際に、当該コイル基板を増やすことなく、一次側コイルおよび二次側コイルを増設することが可能な薄型トランスを提供する。【解決手段】表裏面に一次側コイルおよび二次側コイルが形成されたコイル基板２が複数積層されるとともに、積層されたコイル基板２の両端部２ａを除く積層部２ｂが一対の磁性材コア３により囲繞されて閉磁路が形成され台座４上に載置された薄型トランスにおいて、台座４は、積層されたコイル基板２の両端部２ａが支持される上面部５ａと、当該上面部５ａ間に形成されて一対の磁性材コア３が載置される底面部５ｂとを備えた段部５が形成されることにより、一対の磁性材コア３とコイル基板２の積層部２ｂの上面および下面との間に間隙が形成されている。【選択図】図２
2014138109.tif 000002
【特許請求の範囲】
【請求項１】
表裏面に一次側コイルおよび二次側コイルが形成されたコイル基板が複数積層されるとともに、積層された上記コイル基板の両端部を除く積層部が一対の磁性材コアにより囲繞されて閉磁路が形成され台座上に載置された薄型トランスにおいて、
上記台座は、積層された上記コイル基板の上記両端部が支持される上面部と、当該上面部間に形成されて上記一対の磁性材コアが載置される底面部とを備えた段部が形成されることにより、上記一対の磁性材コアと当該コイル基板の上記積層部の上面および下面との間に間隙が形成されていることを特徴とする薄型トランス。
【請求項２】
上記コイル基板には、上記両端部に端子を挿通する複数の貫通孔が穿設されるとともに、
上記段部の上記上面部の端部側には、上記コイル基板の上記貫通孔の下方に離間して形成される底部と、当該底部から上記上面部に立設される壁部を備えた段差部が形成されていることにより、当該底部と上記コイル基板との間に上記端子が延出されることを特徴とする請求項１に記載の薄型トランス。
【発明の詳細な説明】
【技術分野】
【０００１】
本発明は、電子装置の薄型電源などに用いられる薄型トランスに関するものである。
【背景技術】
【０００２】
近年、コンピュータや通信機器などの電子装置、特に携帯型の電子装置の普及は著しい。それに伴って、これら電子装置の小型化および軽量化が目覚ましいスピードで進み、さらにエコロジーや省エネへの意識の高まりから、その進化は一段と加速されてきている。
【０００３】
そのため、さらなる小型化および軽量化の実現に向けて、これら電子装置に用いられる電源においても、小型かつ薄型のものが求められている。この電源の小型かつ薄型に対応させる構成部品の一つとしてトランスがある。このトランスを小型かつ薄型にすることにより、電源自体の小型かつ薄型に繋げることができる。
【０００４】
そこで、この電源に用いられるトランスとして、図３および図４に示すように、一次側コイルおよび二次側コイルが形成されたコイル基板２０を複数積層するとともに、積層されたコイル基板２０の両端部２０ａを除く積層部２０ｂを一対の磁性材コア３０により囲繞して閉磁路が形成され、かつ一対の磁性材コア３０が台座４０に配設された薄型トランス１０が提案されている。
【０００５】
なお、図３および図４において、符号２１は、コイル基板２０にプリントされた一次側コイルおよび二次側コイルのプリント層である。また、符号２２は、コイル基板２０のプリント層２１との積層面の間に介装される絶縁シートである。さらに、符号ｔは、コイル基板２０の両端部２０ａに穿設された貫通孔および台座に穿設された孔部に挿通される端子である。
【０００６】
この従来の薄型トランス１０は、一次側コイルおよび二次側コイルが形成されたコイル基板２０を複数積層することにより、優れた特性を得ることができるとともに、小型かつ薄型を図ることができる。これにより、電子機器の小型化および軽量化、さらには省エネに対応させることができる。
【０００７】
ところが、上記従来の薄型トランス１０は、コイル基板２０に直接一対の磁性材コイル３０を取り付けて閉磁路を形成するため、積層したコイル基板２０の積層部２０ｂの上面と下面とに、一対の磁性材コイル３０との絶縁を確保しなければならず、積層されたコイル基板２０の最上層と最下層には、一方側の面にしか一次側コイルおよび二次側コイルを形成することができない。
【０００８】
このため、大電流化の対応など性能を向上させる目的により、一次側コイルおよび二次側コイルを増設する場合には、コイル基板２０の枚数を増やす必要があり、製造コストが嵩むとともに、薄型化に対応しづらいという問題がある。
【発明の概要】
【発明が解決しようとする課題】
【０００９】
本発明は、かかる事情に鑑みてなされたもので、積層されたコイル基板を磁性材コアにより囲繞して閉磁路を形成した際に、当該コイル基板を増やすことなく、一次側コイルおよび二次側コイルを増設することが可能な薄型トランスを提供することを課題とするものである。
【課題を解決するための手段】
【００１０】
上記課題を解決するために、請求項１に記載の発明は、表裏面に一次側コイルおよび二次側コイルが形成されたコイル基板が複数積層されるとともに、積層された上記コイル基板の両端部を除く積層部が一対の磁性材コアにより囲繞されて閉磁路が形成され台座上に載置された薄型トランスにおいて、上記台座は、積層された上記コイル基板の上記両端部が支持される上面部と、当該上面部間に形成されて上記磁性材コアが載置される底面部とを備えた段部が形成されることにより、上記一対の磁性材コアと当該コイル基板の上記積層部の上面および下面との間に間隙が形成されていることを特徴とするものである。
【００１１】
また、請求項２に記載の発明は、請求項１に記載の発明において、上記コイル基板には、上記両端部に端子を挿通する複数の貫通孔が穿設されるとともに、上記段部の上記上面部の端部側には、上記コイル基板の上記貫通孔の下方に離間して形成される底部と、当該底部から上記上面部に立設される壁部を備えた段差部が形成されていることにより、当該底部と上記コイル基板との間に上記端子が延出されることを特徴とするものである。
【発明の効果】
【００１２】
請求項１〜２に記載の本発明によれば、積層されたコイル基板の積層部を一対の磁性材コアにより囲繞して閉磁路を形成して、当該磁性材コアを台座上に載置する際に、積層された上記コイル基板の両端部を段部により各々支持して、上記一対の磁性材コアと上記コイル基板の上記積層部の上面および下面との間に間隙を形成するため、上記コイル基板の表裏面に１次側コイルおよび２次側コイルを形成しても、上記磁性材コアと当該コイル基板との絶縁を確保することができる。これにより、上記コイル基板を増やすことなく、１次側コイルおよび２次側コイルを増やすことができ、製造コストを抑えることができる。
【００１３】
請求項２に記載の発明によれば、上記コイル基板の上記両端部に端子を挿通する複数の貫通孔の下方に、段差部が形成されているため、上記コイル基板を積層した後に、上記貫通孔に上記端子を挿通して、当該端子と上記コイル基板とをハンダ付けにより結線する際に、上記段差部の底部と上記コイル基板との間に上記端子が延出されることにより、ハンダが上記貫通孔を通り易く、またハンダ濡れ状況を外部から確認することができる。この結果、上記コイル基板の表裏面に１次側コイルおよび２次側コイルを形成しても、端子平面度を確保することができ、歩留まりを向上させることができる。
【図面の簡単な説明】
【００１４】
【図１】本発明の一実施形態の薄型トランスの斜視図である。
【図２】図１のII−II断面図である。
【図３】従来の薄型トランスの斜視図である。
【図４】図３のIV−IV断面図である。
【発明を実施するための形態】
【００１５】
図１および図２は、本発明に係る薄型トランスの一実施形態を示すもので、この薄型トランス１は、表裏面に一次側コイルおよび二次側コイルが形成されたコイル基板２が複数積層されるとともに、積層されたコイル基板２の両端部２ａを除く積層部２ｂが一対の磁性材コア３により囲繞されて閉磁路が形成され、かつ一対の磁性材コア３が台座４に載置されて概略構成されている。
【００１６】
ここで、コイル基板２は、平面視において長方形に形成されているとともに、表裏面には、１次側コイルおよび２次側コイルのパターンがプリントされたプリント層７が設けられている。また、コイル基板２の中央部に磁性材コア３の凸部が挿入される孔部が形成されているとともに、長手方向の両端部２ａに、端子ｔが挿入される貫通孔が複数（図では９つ）穿設されている。そして、コイル基板２は、複数枚（図では３枚）が積層され、積層面には絶縁シート８が介装されている。
【００１７】
そして、一対の磁性材コア３は、Ｅ型のフェライトコアが用いられている。この一対のＥ型のフェライトが、積層されたコイル基板２の積層部２ｂを囲繞して日字状の閉磁路が形成されている。
【００１８】
さらに、台座４は、合成樹脂により形成されるとともに、平面視において長方形に形成されている。また、台座４には、当該台座４の長手方向の両端部側に、積層されたコイル基板２の両端部２ａが支持される段部５が形成されている。この段部５は、コイル基板２の両端部２ａを支持する上面部５ａが台座４の短手方向に延設されているとともに、この上面部５ａ間に一対の磁性材コア３が載置される底面部５ｂが形成され、かつ上面部５ａと底面部５ｂとの間に壁面部５ｃが各々形成されている。
【００１９】
また、段部５の各々の上面部５ａの端部側には、段差部６が形成されている。この段差部６は、コイル基板２の上記貫通孔の下方に離間して形成された底部６ａが、台座４の短手方向に延設されているとともに、底部６ａから上面部５ａに立設される壁部６ｂが形成されている。
【００２０】
さらに、段差部６の底部６ａには、コイル基板２の両端部２ａに穿設された各々の上記貫通孔と同軸線上に、端子ｔが挿通される孔部が複数穿設されている。
【００２１】
上記構成からなる薄型トランス１を組み立てる際には、まず、コイル基板２の表裏面に一次側コイルおよび２次側コイルのパターンをプリントしてプリント層７を形成する。次いで、これらプリント層７が表裏面に形成されたコイル基板２を複数（図では３枚）積層する。その際に、各々の積層面の間に絶縁シート８を介装させる。
【００２２】
そして、積層されたコイル基板２の両端部２ａを除く積層部２ｂを一対の磁性材コア３によって囲繞するとともに、当該磁性材コア３の中央の凸部をコイル基板２の中央に設けられた孔部に挿入して、日字状の閉磁路を形成する。
【００２３】
次に、台座４上に一対の磁性材コア３を載置する。その際に、積層されたコイル基板２の両端部２ａが段部５の上面部５ａにより各々支持されるとともに、当該磁性材コア３が上面部５ａ間に形成された底面部５ｂに載置される。これにより、一対の磁性材コア３とコイル基板２の積層部２ｂの上面および下面との間に間隙が形成される。
【００２４】
そして、積層されたコイル基板２の両端部２ａに各々穿設された上記貫通孔に、端子ｔを挿通させるとともに、段部５の上面部５ａに形成された段差部６の底部６ａに設けられた孔部に、端子ｔを挿通させる。
【００２５】
さらに、コイル基板２の上記貫通孔に挿通された端子ｔと、積層された当該コイル基板２の各々の表裏面にプリントされた１次側コイルおよび２次側コイルとを結線するために、端子ｔをハンダ付けする。その際に、積層されたコイル基板２の両端部２ａを支持している段部５の上面部５ａの端部側に形成された段差部６により、当該段差部６とコイル基板２との間に上記端子が延出されているため、ハンダが全てのコイル基板２に行き渡ったかを確認することができる。
そして、全ての端子ｔをハンダ付けすることにより、薄型トランス１の組み立てが完了する。
【００２６】
以上の構成からなる薄型トランス１によれば、積層されたコイル基板２の積層部２ｂを一対の磁性材コア３により囲繞して閉磁路を形成して、磁性材コア３を台座４に載置する際に、積層されたコイル基板２の両端部２ａを段部５により各々支持して、一対の磁性材コア３とコイル基板２の積層部２ｂの上面および下面との間に間隙を形成するため、コイル基板２の表裏面に１次側コイルおよび２次側コイルを形成しても、磁性材コア３とコイル基板２との絶縁を確保することができる。これにより、コイル基板２を増やすことなく、１次側コイルおよび２次側コイルを増やすことができ、製造コストを抑えることができる。
【００２７】
また、コイル基板２の両端部２ａに端子ｔを挿通する複数の上記貫通孔の下方に、段差部６が形成されているため、コイル基板２を積層した後に、上記貫通孔に端子ｔを挿通して、端子ｔとコイル基板２とをハンダ付けにより結線する際に、段差部６の底部６ａとコイル基板２との間に端子ｔが延出されることにより、ハンダが上記貫通孔を通り易く、またハンダ濡れ状況を外部から確認することができる。この結果、コイル基板２の表裏面に１次側コイルおよび２次側コイルを形成しても、端子平面度を確保することができ、歩留まりを向上させることができる。
【００２８】
なお、上記実施形態においては、本発明に係る薄型トランス１が、表裏面に１次側コイルおよび２次側コイルのパターンをプリントしたプリント層７が、三枚のコイル基板２に各々設けられた場合についてのみ説明したが、本発明はこれに限定されるものではなく、一対の磁性材コア３と積層されたコイル基板２の積層部２ｂの上面と下面との間に間隙が確保することができれば、より多くのコイル基板２を用いても対応可能である。
【００２９】
また、一対の磁性材コア３をＥ型のフェライトコアを用いる場合のみ説明したが、本発明はこれに限定されるものではなく、Ｅ型とＩ型のフェライトコアを組み合わせても対応可能である。
【産業上の利用可能性】
【００３０】
電子機器などの薄型電源に利用することができる。
【符号の説明】
【００３１】
１  薄型トランス
２  コイル基板
３  一対の磁性材コア
４  台座
５  段部
５ａ  上面部
５ｂ  底面部
５ｃ  壁面部
６  段差部
６ａ  底部
６ｂ  壁部
７  プリント層
８  絶縁シート
ｔ  端子
【図１】
2014138109.tif 000003
【図２】
2014138109.tif 000004
【図３】
2014138109.tif 000005
【図４】
2014138109.tif 000006